(57)【特許請求の範囲】
【請求項１】
吸音材(21)と、遮根シート(22)と、登攀助材(23)と、網状保護材(24)を備え、
該吸音材(21)は該登攀助材(23)の一面(25)に該遮根シート(22)を介して配設され、
該網状保護材(24)は該登攀助材(23)の他面(26)に、該他面(26)との間に登攀間隙(27)を保って、配設されていることを特徴とする吸音型緑化パネル(1)。
【請求項２】
吸音材(21)と、遮根シート(22)と、登攀助材(23)と、網状保護材(24)と、化粧枠(31)を備え、
該吸音材(21)は該登攀助材(23)の一面(25)に該遮根シート(22)を介して配設され、
該網状保護材(24)は該登攀助材(23)の他面(26)に、該他面(26)との間に登攀間隙(27)を保って、配設され、
該化粧枠(31)はコ字状断面部(32)と該コ字状断面部(32)の一側部(33)に続いて外方へ延びる蔓返し部(34)を備え、該コ字状断面部(32)の他側部(35)で被施工面(P)に取付けられて、該コ字状断面部(32)で該吸音材(21)、該遮根シート(22)、該登攀助材(23)、該網状保護材(24)の集合した外周面(36)の、設置状態での天端部分(37)及び側面部を覆うものであることを特徴とする吸音型緑化パネル(11)。
【請求項３】
被施工面(P)にアンカー(41)を打設して固定プレート(42)を取り付け、該固定プレート(42)に請求項１又は２記載の吸音型緑化パネル(1,11)を取り付けて該被施工面(P)を覆うことを特徴とする吸音型緑化パネルによる被施工面の施工法。
【請求項４】
該固定プレート(42)は基盤部(43)とその幅の方向の中間で該基盤部(43)から突き出た突条(44)を備え、該基盤部(43)を該被施工面(P)に、該突条(44)を該被施工面(P)と反対向きにして、かつ該突条(44)の背面側にボルト(45)の頭部(46)を収め、該ボルト(45)の軸部(47)を該突条(44)に穿ったボルト孔(48)を通して該突条(44)外に突出させた状態で、取り付け、該ボルト(45)により請求項１又は２に記載の吸音型緑化パネル(1,11)を該固定プレート(42)に取り付けて該吸音型緑化パネル(1,11)と該被施工面(P)の間に空間(49)を形成するようにした請求項３に記載の吸音型緑化パネルによる被施工面の施工法。
【請求項５】
該ボルト(45)の軸部(47)に鞘管(50)が介装されている請求項４に記載の吸音型緑化パネルによる被施工面の施工法。
【請求項６】
該固定プレート(42)は、その横断方向と角度をなす線上に、その両袖片(51)と該突条(44)にボルト孔(52)が穿たれている請求項４に記載の吸音型緑化パネルによる被施工面の施工法。
【請求項７】
該固定プレート(42)はアングルで、その基部(52)をアンカー(41)により被施工面(P)に取り付け、該基部(52)と直角をなす支持部(53)に請求項１又は２に記載の吸音型緑化パネル(1,11)を、該支持部(53)に着脱自在の保定アングル(54)と抑えアングル(55)で、支持すると共に該保定アングル(54)により該吸音材(21)の面と該被施工面(P)の間に該空間(49)を形成している請求項４に記載の吸音型緑化パネルによる被施工面の施工法。
【請求項８】
該空間(49)の寸法(D)は１０〜３００ｍｍである請求項４又は７に記載の吸音型緑化パネルによる被施工面の施工法。
【発明の詳細な説明】
【技術分野】
【０００１】
本発明は、のり面や建造物壁面等に施工して吸音や緑化に供するために使用される吸音型緑化パネル及びこのパネルによる被施工面の施工法に関するものである。
【背景技術】
【０００２】
鉄道や道路に沿ってその側面に吸音壁が設置されている。この吸音壁は、実公昭５５−１２０８号公報に示されているように、グラスウール製の吸音材を雨水防止用のポリエチレン製袋に収納し、騒音発生側に吸音窓を開けた金属製のボックスに収容したものである。
【特許文献１】実公昭５５−１２０８号公報
【発明の開示】
【発明が解決しようとする課題】
【０００３】
金属製ボックス型吸音壁は交通路の片側又は両側に沿って設置したＨ型支柱の対向する溝にボックスを落とし込んで積み上げるもので、あくまで吸音を意図しており、緑化植物がボックス壁面に沿って這い上がりやすくするような工夫は何らされていない。
【０００４】
そこで、本発明は、表面に登攀用の隙間を保って網材を配した登攀助材の背面に吸音材を一体に配置し、この登攀助材と吸音材の間に遮根シートを介装した吸音型緑化パネルを提供することを目的とする。
【０００５】
この遮根シートは、登攀助材の表面を登ってきた緑化植物の気根が登攀助材を突き抜けて吸音材に入り込み、ここで根を張って吸音材の吸音機能が低下するのを防ぐためのものである。
【０００６】
また、本発明の他の目的は、この吸音型緑化パネルをのり面や構造物のような被施工面に少ない部材でかつ少ない手間で施工できる施工法を提供することにある。
【課題を解決するための手段】
【０００７】
本発明にかかる第一の吸音型緑化パネルは、登攀助材の表面に間隔を置いて網材が配設されている。そして、該登攀助材の裏面に遮根シートを介して吸音材が配設されている。
【０００８】
登攀助材の表面には網材が配設されており、被施工面に設置されると緑化植物はこの網材に蔓をからませながら登攀助材表面を成長登攀して行く。この植物の気根は登攀助材に侵入してその裏側へ出ようとするが、遮根シートがあるので、これを突き抜けることはできない。そのため吸音材に侵入して根を張ることはなく、吸音材はその機能を十分に発揮し、車両等の発する騒音を効果的に吸収する。なお、網材は、三次元的な立体格子であってもよい。
【０００９】
本発明に係る第二の吸音型緑化パネルは、第一の吸音型パネルの構成に化粧枠が加わったものである。この化粧枠により被施工面に設置された吸音型緑化パネルの少なくとも天端面が覆われるので、雨水が吸音材に浸透するのを防ぎ、例え浸透した場合でも速やかに排出できる。また、この化粧枠は蔓返しを供えているので、つる性植物の蔓が成長して吸音型緑化パネルの上端部から更に上へ延びようとしても、それが阻止される。ここで化粧枠は、必要に応じて横面の、一部または全部に設置してもよい。
【００１０】
該吸音材としては多孔質吸音材なら良く、ポリエステル繊維集合体、合成ゴム、ウレタン発泡体、グラスウール（ガラス繊維集合体）等であってもよい。
これらは雨水による吸音機能の劣化を防げ、吸音効果を長期に発揮する。
【００１１】
該遮根シートとしては登攀植物の気根が突き抜けないものならよく、ポリエステル不織布、ポリエチレン、ポリプロピレン、塩化ビニール等の各シート、アスファルトシート等が挙げられる。
これらによれば、登攀助材の表面を這い登ってきた植物の気根がポリエステルの不織布や各シートにより遮断され、吸音材に侵入することはなく、従って吸音材の性能を損なうこともない。
【００１２】
本発明に係る吸音型緑化パネルによる被施工面の施工法は、被施工面にアンカーを打設して固定プレートを取付ける。そして該固定プレートに請求項１又は２記載の吸音型緑化パネルを取付けて該被施工面を覆う。
吸音型緑化パネルは金属製のボックス型に比較して遙かに軽量で固定プレートに取付けられて被施工面を覆うので、被施工面に対するアンカー削孔本数を、従来の３．５〜４．０本／m2より少ない１．５本／m2程度にできる。
【００１３】
該アンカーが打設される対象は壁体、鋼材、胴縁、格子、フェンス、のり面、防音壁等、適当のものを選べる。
これらによれば、吸音型緑化パネルの取付け面が限定されず、壁体を選ぶ必要はない。
【００１４】
該固定プレートは基盤部とその幅の方向の中間で該基盤部から突き出た突条を備え、該基盤部を該被施工面に、該突条を該被施工面と反対向きにして、かつ該突条の背面側にボルトの頭部を納め、該ボルトの軸部を該突条に穿ったボルト孔を通して該突条外に突出させた状態で取り付け、該ボルトにより吸音型緑化パネルを該固定プレートに取り付けて該吸音型緑化パネルと該被施工面の間に空間を形成するようにしてもよい。
こうすると、このボルトにより吸音型緑化パネル、遮根シート等の全ての部材が固定されるため、部材が少なく簡便になり、空間により騒音のエネルギーを減少させることができる。
【００１５】
該ボルトの軸部に鞘管が介装されていてもよい。
こうすると、吸音型緑化パネルの設置に際し、膨軟な吸音材を押し潰すことなく取付けられるので、吸音効果を損なうことがない。
【００１６】
該固定プレートは、その横断方向と角度をなす線上に、その両袖片と突条にボルト孔が穿たれていてもよい。
こうすると、固定プレート取付用のアンカー打設時に壁体内の鉄筋等に当たっても、固定プレートに穿った隣接したボルト孔を用いることで、吸音型緑化パネルの配置を変更することなく施工できる。
【００１７】
該固定プレートはアングルで、その基部をアンカーにより被施工面に取り付け、該基部と直角をなす支持部に吸音型緑化パネルを、該支持部に着脱自在の保定アングルと抑えアングルで、支持すると共に該保定アングルにより該吸音材の面と該被施工面の間に該空間を形成してもよい。
こうすると、構成が簡単となり、吸音材の面と被施工面の間に大きな空間が形成できるので、該被施工面に沿って雨水が流下しても吸音材に浸入することがなく、仮に浸入してもこの空間から排出できるので、吸音材の吸音性能が劣化するのを防げる。
【００１８】
該空間の寸法は１０〜３００ｍｍであってもよい。
こうすると、吸音材から抜け出た音波はこの空間で複雑な流れとなってそのエネルギーを次第に失うので、外部へ伝播することがない。また、吸音材を透過した音波は、被施工面が音を反射する性質を持つ場合にはこの空間内で複数回反射を繰返し、効率的、効果的に吸音材に吸収され、外部へ伝播することがない。
【発明の効果】
【００１９】
本発明に係る第一の吸音型緑化パネルによれば、吸音材と、遮根シートと、登攀助材と、網状保護材を備え、該吸音材は該登攀助材の一面に該遮根シートを介して配設され、該網状保護材は該登攀助材の他面に、該他面との間に登攀間隙を保って、配設されているので、騒音の発生する場所を囲む壁面等に該吸音材を向けて設置することにより、騒音を吸収して静寂化を果たせ、登攀助材と網状保護材の間をつる性植物が登攀でき、しかもこのつる性植物の気根は遮根シートにより遮断されるので、吸音材に進入して吸音性能を害することはない。
【００２０】
本発明に係る第二の吸音型緑化パネルによれば、第一の吸音型緑化パネルに加えて化粧枠を備えたので、この化粧枠により被施工面に設置された吸音型緑化パネルの少なくとも天端面が覆われ、雨水が吸音材に浸透するのを防ぎ、例え浸透した場合でも速やかに排出できる。また、この化粧枠は蔓返しを供えているので、つる性植物の蔓が成長して吸音型緑化パネルの上端部から更に上へ延びようとしても、それが阻止される。
【００２１】
請求項３による施工法によれば、吸音型緑化パネルは金属製のボックス型に比較して遙かに軽量で固定プレートに取付けられて被施工面を覆うので、被施工面に対するアンカー削孔本数を、従来の３．５〜４．０本／m2より少ない１．５本／m2程度にできる。
【００２２】
請求項４によれば、ボルトにより吸音型緑化パネル、遮根シート等の全ての部材が固定されるため、部材が少なく簡便になる。
【００２３】
請求項５によれば、吸音型緑化パネルの設置に際し、膨軟な吸音材を押し潰すことなく取付けられるので、吸音効果を損なうことがない。
【００２４】
請求項６によれば、固定プレート取付用のアンカー打設時に壁体内の鉄筋等に当たっても、固定プレートに穿った隣接したボルト孔を用いることで、吸音型緑化パネルの配置を変更することなく施工できる。
【００２５】
請求項７によれば、該固定プレートはアングルで、その基部をアンカーにより被施工面に取り付け、該基部と直角をなす支持部に吸音型緑化パネルを、該支持部に着脱自在の保定アングルと抑えアングルで、支持すると共に該保定アングルにより該吸音材の面と該被施工面の間に該空間を形成したので、構成が簡単となり、吸音材の面と被施工面の間に大きな空間が形成できるので、該被施工面に沿って雨水が流下しても吸音材に浸入することがなく、仮に浸入してもこの空間から排出できるので、吸音材の吸音性能が劣化するのを防げる。
【００２６】
請求項８によれば、該空間の垂直寸法は１０〜３００ｍｍなので、吸音材から抜け出た音波はこの空間で複雑な流れとなってそのエネルギーを次第に失うので、外部へ伝播することがない。
【発明を実施するための最良の形態】
【００２７】
図１は本発明にかかる第一の吸音型緑化パネルの具体例を上から見た斜視図、図２は被施工面に取り付けられた状態を示す斜視図である。図３は吸音型緑化パネルを被施工面に施工する際に使用される固定プレートを被施工面に取付けた状態の正面図、図４は固定プレート取付部分の切断面図、図５は化粧枠付きの吸音型緑化パネルを固定プレートに取付けた最上層部分の断面図である。図６は別態様の固定プレートを使用した吸音型緑化パネルの取付例である。
【００２８】
吸音型緑化パネル１は、吸音材２１，遮根シート２２，登攀助材２３，網状保護材２４を備えている。吸音材２１は登攀助材２３の一面２５に遮根シート２２を介して配設される。配設にはクリップ、ピン、紐等が採用され得る。網状保護材２４は登坂助材２３の他面２６に、この他面２６との間に登攀間隙２７を保って、配設されている。
【００２９】
この吸音型緑化パネル１は、網状保護材２４を音源に向け、吸音材２１を被施工面Ｐに向けて配置される。登攀助材２３の表面に網状保護材２４がクリップやピン等、適当な間隔材Ｓを介して隔設されており、被施工面Ｐに設置されると緑化植物はこの網状材保護材２４に蔓をからませながら登攀助材２３の表面を成長登攀して行く。この植物の気根は登攀助材２３に侵入してその裏側へ出ようとするが、遮根シート２２があるので、これを突き抜けることはできず、吸音材２１に侵入して根を張ることはない。く、吸音材２１はその機能を十分に発揮し、車両等の発する騒音を効果的に吸収する。
【００３０】
遮根シート２２を透過した音波は吸音材２１に入り、ここでエネルギーを吸収され、音としての機能を失わせる。従って、車両等から発せられた騒音がこのパネル１で反射して周辺域に拡散する恐れはない。
【００３１】
図５は、本発明にかかる第二の吸音型緑化パネル１１の具体例を、被施工面Ｐに設置した状態の断面図である。化粧枠３１を外せば第一の吸音型緑化パネル１となるので、この設置の説明は第一の吸音型緑化パネルについても適用できる。
【００３２】
吸音作用は登攀助材２３の一面２５に配設した遮根シート２２を介して配設された吸音材２１によって果たされる。この配設にはクリップ、ピン、紐等が採用され得る。
【００３３】
第一の吸音型緑化パネル１の場合と同様に、音源から伝搬して登攀助材２３及び遮根シート２２を透過してきた音波は吸音材２１に入り、ここでエネルギーの大部分を吸収されて音の機能を失う。従って、車両等から発せられた騒音がこのパネルで反射して拡散することはない。
【００３４】
この化粧枠３１は、被施工面Ｐに設置された吸音型緑化パネルの少なくとも天端部分を覆っており、雨水が吸音材２１に浸透するのを防ぐ。例え浸透した場合でも、速やかに排出できる。また、この化粧枠３１は蔓返し部３４を備えているので、つる性植物の蔓が成長して吸音型緑化パネルの上端部から更に上へ延びようとしても、それを阻止できる。
【００３５】
吸音材２１としては多孔質吸音材なら良く、ポリエステル繊維集合体、合成ゴム、ウレタン発泡体、グラスウール（ガラス繊維集合体）等である。
これらは、従来のグラスウールなどに比べ透水性に優れ、雨水による吸音機能の劣化を防げ、吸音効果を長期に発揮する。
【００３６】
遮根シート２２としては登攀植物の気根が突き抜けないものならよく、ポリエステル不繊布、ポリエチレン、ポリプロピレン、塩化ビニール等の各シート、アスファルトシート等が挙げられる。
これらによれば、登攀助材２３の表面を這い登ってきた植物の気根がポリエステルの不織布や各シートにより遮断され、吸音材２１に侵入することはなく、従って吸音材２１の性能を損なうこともない。
【００３７】
吸音型緑化パネルによる被施工面の施工法は、被施工面Ｐにアンカー４１を打設して固定プレート４２を取付ける。この固定プレート４２に本発明に係る第一又は第二の吸音型緑化パネル１又は１１を取付けてこの被施工面Ｐを覆う。
【００３８】
アンカー４１が打設される対象は壁体、鋼材、胴縁、格子、フェンス、のり面、防音壁等、適当のものを選べる。
この場合、吸音型緑化パネルの取付け面が限定されず、壁体を選ぶ必要はない。
【００３９】
固定プレート４２は基盤部４３とその幅の方向の中間で基盤部４３から突き出た突条４４を備え、基盤部４３を被施工面Ｐに、突条４４を被施工面Ｐと反対向きにして、かつ突条４４の背面側にボルト４５の頭部４６を納め、ボルト４５の軸部４７を突条４４に穿ったボルト孔４８を通して突条４４外に突出させた状態でボルト４５に吸音型緑化パネル１を取付ける。
この場合、ボルト４５により吸音型緑化パネル１の全ての部材が固定されるため、固定用部材が少なく簡便になる。
【００４０】
ボルト４５の軸部４７に鞘管５０が介装されている。
この場合、吸音型緑化パネルの設置に際し、膨軟な吸音材２１を押し潰すことなく取付けられるので、吸音効果を損なうことがない。
【００４１】
固定プレート４２はその横断方向と角度をなす線上にボルト孔５１が穿たれている。
この場合、固定プレート取付用のアンカー４１が打設時に被施工面Ｐの壁体内の鉄筋等に当たっても、固定プレート４２に穿った隣接したボルト孔５１を用いることで、吸音型緑化パネルの配置を変更することなく施工できる。
【図面の簡単な説明】
【００４２】
【図１】本発明にかかる第一の吸音型緑化パネルの具体例を上から見た斜視図である。
【図２】同供用状態を示す斜視図である。
【図３】吸音型緑化パネルを被施工面に施工する際に使用される固定プレートの配置図である。
【図４】固定プレート取付部分の断面図である。
【図５】本発明に係る第二の吸音型緑化パネルの取り付け状態の断面図である。
【図６】別の態様の固定プレートによる取付部分の断面図である。
【符号の説明】
【００４３】
１、１１  吸音型緑化パネル
Ｐ      被施工面
２１    吸音材
２２    遮根シート
２３    登攀助材
２４    網状保護材
２５    一面
２６    他面
２７    登攀間隙
３１    化粧枠
３２    コ字状断面部
３３    一側部
３４    蔓返し部
３５    他側部
３６    外周面
３７    天端部分
３９    袖片
４１    アンカー
４２    固定プレート
４３    基盤部
４４    突条
４５    ボルト
４６    頭部
４７    軸部
４８    ボルト孔
４９    空間
５０    鞘管
５１    ボルト孔
【図１】
0004942202.tif 000002
【図２】
0004942202.tif 000003
【図３】
0004942202.tif 000004
【図４】
0004942202.tif 000005
【図５】
0004942202.tif 000006
【図６】
0004942202.tif 000007